(57)【要約】      （修正有）【課題】配光の乱れを抑制することができる照明装置を提供する。【解決手段】照明装置１０は、光源２０と、光源２０が発する光が入射する第１端面３１、第１端面３１の反対側に位置する第２端面３２であって、第１端面３１に対して傾斜した傾斜面を含む第２端面３２及び第１端面３１に入射した光を反射する反射構造（凹部３５）が設けられた第１主面３３を有する導光体３０と、第２端面３２に光学的に密着する光吸収材４０とを備える。【選択図】図２
2020161405.tif 000002
【特許請求の範囲】
【請求項１】
光源と、
前記光源が発する光が入射する第１端面、前記第１端面の反対側に位置する第２端面であって前記第１端面に対して傾斜した傾斜面を含む第２端面、及び、前記第１端面に入射した光を反射する反射構造が設けられた主面を有する導光体と、
前記第２端面に光学的に密着する光吸収材とを備える
照明装置。
【請求項２】
前記光吸収材は、前記第２端面の全部、及び、前記主面の前記第２端面側の端部を覆う
請求項１に記載の照明装置。
【請求項３】
前記第２端面は、複数の前記傾斜面を含む
請求項１または２に記載の照明装置。
【請求項４】
前記第２端面には、不規則な凹凸が形成される
請求項１〜３のいずれか１項に記載の照明装置。
【請求項５】
前記光吸収材の屈折率と前記導光体の屈折率との比は、０．９以上１．１以下である
請求項１〜４のいずれか１項に記載の照明装置。
【請求項６】
前記導光体は、アクリル樹脂によって形成され、
前記光吸収材の屈折率は、１．４以上１．６以下である
請求項１〜５のいずれか１項に記載の照明装置。
【請求項７】
前記第１端面には、前記主面と交差する方向に沿う断面Ｖ字状の溝が複数並んで設けられる
請求項１〜６のいずれか１項に記載の照明装置。
【請求項８】
さらに、前記主面に対向する反射板を備える
請求項１〜７のいずれか１項に記載の照明装置。
【請求項９】
前記反射構造は、複数の凹部を含み、
前記主面における前記複数の凹部の密度は、前記光源から遠い領域ほど大きい
請求項１〜８のいずれか１項に記載の照明装置。
【請求項１０】
前記反射構造は、複数の凹部を含み、
前記主面における前記複数の凹部の密度は、前記第１端面及び前記第２端面が並ぶ方向における中央部において最も小さく、当該方向において中央部から離れるほど大きい
請求項１〜８のいずれか１項に記載の照明装置。
【請求項１１】
前記反射構造は、複数の凹部を含み、
前記複数の凹部のそれぞれは、前記主面に対して傾斜した側面を含み、
前記複数の凹部の前記側面の傾斜角は、前記主面の前記光源から遠い場所に位置する凹部の前記側面ほど大きい
請求項１〜１０のいずれか１項に記載の照明装置。
【請求項１２】
前記反射構造は、複数の凹部を含み、
前記複数の凹部のそれぞれは、前記主面に対して傾斜した側面を含み、
前記複数の凹部の前記側面の傾斜角は、前記主面のうち前記第１端面及び前記第２端面が並ぶ方向における中央部において最も小さく、前記主面のうち当該方向において中央部から離れるほど大きい
請求項１〜１０のいずれか１項に記載の照明装置。
【請求項１３】
前記反射構造は、長溝状の凹部を複数含み、
前記長溝状の凹部の長手方向は、前記主面に沿う第１方向であって前記第１端面及び前記第２端面が並ぶ第２方向に垂直な第１方向に沿う
請求項１〜１２のいずれか１項に記載の照明装置。
【発明の詳細な説明】
【技術分野】
【０００１】
本発明は、導光体を備える照明装置に関する。
【背景技術】
【０００２】
近年、ＬＥＤ（Ｌｉｇｈｔ  Ｅｍｉｔｔｉｎｇ  Ｄｉｏｄｅ）を用いた光源が普及しつつある。例えば、特許文献１には、２本の導光棒からなる導光体の両端部にＬＥＤ素子を対向配置した線状光源装置が開示されている。
【先行技術文献】
【特許文献】
【０００３】
【特許文献１】特開２０１６−３５８８５号公報
【発明の概要】
【発明が解決しようとする課題】
【０００４】
本発明は、配光の乱れを抑制することができる照明装置を提供する。
【課題を解決するための手段】
【０００５】
本発明の一態様に係る照明装置は、光源と、前記光源が発する光が入射する第１端面、前記第１端面の反対側に位置する第２端面であって前記第１端面に対して傾斜した傾斜面を含む第２端面、及び、前記第１端面に入射した光を反射する反射構造が設けられた主面を有する導光体と、前記第２端面に光学的に密着する光吸収材とを備える。
【発明の効果】
【０００６】
本発明の照明装置は、配光の乱れを抑制することができる。
【図面の簡単な説明】
【０００７】
【図１】図１は、実施の形態に係る照明装置の外観斜視図である。
【図２】図２は、実施の形態に係る照明装置の内部構造を示す図である。
【図３】図３は、実施の形態に係る照明装置の配光特性を模式的に示す図である。
【図４Ａ】図４Ａは、導光体の第２端面の形状の変形例を示す第１の図である。
【図４Ｂ】図４Ｂは、導光体の第２端面の形状の変形例を示す第２の図である。
【図４Ｃ】図４Ｃは、導光体の第２端面の形状の変形例を示す第３の図である。
【図４Ｄ】図４Ｄは、導光体の第２端面の形状の変形例を示す第４の図である。
【図５Ａ】図５Ａは、光吸収材の配置の変形例を示す第１の図である。
【図５Ｂ】図５Ｂは、光吸収材の配置の変形例を示す第２の図である。
【図６】図６は、導光体の第１端面の形状の変形例を示す図である。
【図７】図７は、複数の凹部が不均一な密度で配置された導光体の一例を示す図である。
【図８】図８は、複数の凹部が不均一な密度で配置された導光体の別の一例を示す図である。
【図９】図９は、複数の凹部の形状が当該凹部の位置に応じて異なる導光体の一例を示す図である。
【図１０】図１０は、複数の凹部の形状が当該凹部の位置に応じて異なる導光体の別の一例を示す図である。
【図１１】図１１は、長溝状の複数の凹部を有する導光体の一例を示す図である。
【図１２】図１２は、円錐形状の凹部、及び、長溝状の凹部の両方を有する導光体の一例を示す図である。
【図１３】図１３は、円錐形状の凹部、及び、長溝状の凹部の両方を有する導光体の配光特性を模式的に示す図である。
【図１４】図１４は、側端面が傾斜面である導光体の一例を示す図である。
【図１５】図１５は、反射板を備える照明装置の内部構造を示す図である。
【発明を実施するための形態】
【０００８】
以下、実施の形態について、図面を参照しながら説明する。以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【０００９】
また、各図は模式図であり、必ずしも厳密に図示されたものではない。また、各図において、実質的に同一の構成に対しては同一の符号を付し、重複する説明は省略または簡略化される場合がある。また、下記の実施の形態において、「ほぼ」または「略」の表現には、製造誤差や寸法公差等を含むという意味もある。
【００１０】
また、以下の実施の形態で説明に用いられる図面においては座標軸が示される場合がある。Ｚ軸方向は、照明装置の高さ方向として説明される。Ｚ軸＋側は、上側（上方）と表現され、Ｚ軸−側は、下側（下方）と表現される場合がある。また、Ｘ軸方向及びＹ軸方向は、Ｚ軸方向に垂直な平面上において、互いに直交する方向である。以下の実施の形態において、平面視とは、Ｚ軸方向から見ることを意味する。
【００１１】
（実施の形態）
［照明装置］
以下、実施の形態に係る照明装置について説明する。図１は、実施の形態に係る照明装置の外観斜視図である。
【００１２】
図１に示されるように、実施の形態に係る照明装置１０は、長尺平板状のポールライトであり、本体部１１と、本体部１１の上端部に設けられた発光部１２とを備える。発光部１２の高さは、地上から５０ｃｍ〜７０ｃｍの位置である。照明装置１０は、発光部１２の周辺であって、発光部１２よりも下方を照明するような配光特性を有する。発光部１２よりも上方に光が発せられると、照明装置１０の周辺を通る人がまぶしく感じてしまうためである。
【００１３】
次に、このような配光特性を実現するための照明装置１０の内部構造について説明する。図２は、照明装置１０の内部構造を示す図である。図２の（ａ）は、照明装置１０の内部構造をＸ軸方向から見た図であり、図２の（ｂ）は、照明装置１０の内部構造をＹ軸方向から見た図である。図２に示されるように、照明装置１０は、光源２０と、導光体３０と、光吸収材４０とを備える。
【００１４】
［光源］
光源２０は、導光体３０の上方に位置し、導光体３０の第１端面３１に向けて光を発する発光モジュールである。光源２０は、基板２１と、発光素子２２とを有する。
【００１５】
基板２１は、図中のＸ軸方向に長い長尺矩形状の基板である。基板２１の長手方向は、Ｘ軸方向であり、基板２１の短手方向は、Ｙ軸方向である。基板２１は、導光体３０の第１端面３１に平行に配置される。なお、基板２１の形状は、特に限定されない。
【００１６】
基板２１は、具体的には、樹脂基板、セラミック基板、または、メタルベース基板等のリジッド基板である。
【００１７】
基板２１のうち複数の発光素子２２が実装された主面である実装面は、導光体３０の第１端面３１に対向する。複数の発光素子２２は、基板２１の長手方向に沿って一列に並んで配置される。
【００１８】
発光素子２２は、白色光を発する表面実装型（Ｓｕｒｆａｃｅ  Ｍｏｕｎｔ  Ｄｅｖｉｃｅ：ＳＭＤ型）のＬＥＤ素子である。表面実装型のＬＥＤ素子とは、樹脂成型されたキャビティの中にＬＥＤチップを実装し、かつ、当該キャビティ内に蛍光体含有樹脂を封入したパッケージ型のＬＥＤ素子である。発光素子２２は、発光素子２２の下方に位置する導光体３０の第１端面３１に向けて、例えば、昼光色〜電球色（色温度２６００Ｋ以上７１００Ｋ以下）の白色光を発する。
【００１９】
なお、光源２０は、ケーブル（図示せず）によって、本体部１１内の電源回路（図示せず）と電気的に接続され、電源回路から供給される電力を用いて光を発する。
【００２０】
［導光体］
導光体３０は、Ｙ軸方向から見た形状が矩形の平板状の光学部材であり、言い換えれば、導光板である。導光体３０は、透明の部材であるが、透光性を有する部材であればよい。導光体３０は、例えば、アクリルによって形成されるが、ポリカーボネートまたはガラスなどであってもよい。
【００２１】
導光体３０は、第１端面３１、第２端面３２、第１主面３３、及び、第２主面３４を有する。
【００２２】
第１端面３１は、光源２０が発する光が入射する端面であり、例えば、平面である。第２端面３２は、第１端面３１の反対側に位置する端面（つまり、第１端面３１と背向する端面）である。第２端面３２は、第１端面３１に対して傾斜した傾斜面を含む。第２端面３２は、全部が単一の傾斜面であり、傾斜面は、例えば、第２主面３４よりも第１主面３３が下方に出っ張るように傾斜した平面である。第２端面３２は、第１主面３３（または第２主面３４）と直交せず、第２端面３２と第１主面３３（または第２主面３４）とがなす角度は、例えば、５°程度である。このように第２端面３２が傾斜面を含んでいれば、第２端面３２が第１端面と平行である場合よりも第２端面３２における光の全反射に起因する配光の乱れ（詳細については後述）を抑制することができる。
【００２３】
第１主面３３は、第１端面３１に入射した光を反射する反射構造が設けられた主面である。第１主面３３には、反射構造として、円錐形状または円錐台形状の微細な凹部３５が多数設けられている。図中では、説明のために凹部３５が大きく図示されているが、実際には微細である。ここでの円錐形状または円錐台形状は、製造ばらつきなどを含めて実質的に円錐形状または円錐台形状であることを意味し、厳密な意味の円錐形状または円錐台形状を意味しない。このような凹部３５によれば、図３のＡのような下方への配光特性が実現される。図３は、照明装置１０の配光特性を模式的に示す図である。図３の（ａ）は、照明装置１０をＸ軸方向から見た図であり、図３の（ｂ）は、照明装置１０をＹ軸方向から見た図である。
【００２４】
第２主面３４は、第１主面３３と反対側に位置する主面（つまり、第１主面３３と背向する主面）である。第２主面３４は平面である。第２主面３４には、反射構造が設けられていないが、第１主面３３同様に、反射構造として、円錐形状または円錐台形状の微細な凹部３５が多数設けられていてもよい。
【００２５】
［光吸収材］
第１主面３３に設けられた複数の凹部３５は、第１端面３１に入射した光源２０からの光を反射し、この結果、図３のＡのような配光特性が実現される。このとき、第１端面３１に入射した光源２０からの光が第２端面３２において反射し、導光体３０の内部に戻って複数の凹部３５によって反射されると、配光の乱れ（設計上、意図しない領域へ光が出射されること）の原因となる。上述のように照明装置１０がローポールライトである場合、配光の乱れにより図３の領域Ｂに光が出射されると、照明装置１０の周辺を通行する人は、まぶしく感じてしまう。
【００２６】
このような配光の乱れを抑制するために、第２端面３２は光吸収材４０によって覆われている。光吸収材４０は、第２端面３２に光学的に密着し、第２端面３２における光の全反射を抑制する。光吸収材４０は、具体的には、第２端面３２の全部を覆うように、第２端面３２に光学的に密着する。光吸収材４０は、塗装、樹脂充填、接着、インサート成形、または２色成形などの手法により、第２端面３２に光学的に密着する。光吸収材４０がテープ状の部材である場合、光吸収材４０は、このようなテープの貼り付けによって第２端面３２に光学的に密着する。
【００２７】
光吸収材４０は、例えば、導光体３０と実質的に同一の屈折率を有する材料を母材として、当該母材にカーボンなどの光吸収機能を有する添加物（例えば、黒色の添加物）が添加されることによって形成される。光吸収材４０の屈折率が導光体と実質的に同一の屈折率を有することは必須ではなく、光吸収材４０の屈折率と導光体３０の屈折率との比が、０．９以上１．１以下であれば、第２端面３２における光の全反射を抑制する一定の効果が得られる。導光体３０がアクリル樹脂によって形成される場合、光吸収材４０の屈折率は、例えば、１．４以上１．６以下である。また、光吸収材４０の母材の屈折率が上述の範囲にあれば、添加物は必ずしも黒色に限定されることはなく、例えばそれが白色の添加物で添加物自体に拡散反射の特性がある場合でも、第２端面３２における全反射の影響は低減できることから、導光体３０から特定方向へ出射されるグレア光を抑制できる。
【００２８】
［第２端面の形状の変形例］
以下、第２端面３２における光の全反射を抑制するための第２端面３２の形状の変形例について説明する。図４Ａ〜図４Ｄは、第２端面３２の形状の変形例を示す図である。
【００２９】
図４Ａに示される第２端面３２ａは、全部が単一の傾斜面であり、傾斜面は、例えば、第１主面３３よりも第２主面３４が下方に出っ張るように傾斜した平面である。第２端面３２ａは、第１主面３３（または第２主面３４）と直交せず、第２端面３２ａと第１主面３３（または第２主面３４）とがなす角度は、例えば、５°程度である。
【００３０】
このような第２端面３２ａによれば、第２端面３２ａにおける光の全反射の影響を抑制することができる。
【００３１】
また、図４Ｂに示される第２端面３２ｂは、２つの傾斜面を含み、Ｘ軸方向から見た場合の形状がＶ字状である。このように、２つの傾斜面を含む第２端面３２ｂによれば、第２端面３２ｂにおける光の全反射の影響をさらに抑制することができる。
【００３２】
また、図４Ｃに示される第２端面３２ｃは、３つ以上（具体的には、４つ）の傾斜面を含み、Ｘ軸方向から見た場合の形状が２つのＶが連なった形状である。このように、３つ以上の傾斜面を含む第２端面３２ｃによれば、第２端面３２ｂにおける光の全反射の影響をさらに抑制することができる。
【００３３】
また、図４Ｄに示される第２端面３２ｄには、シボ加工、または、サンブラスト処理などにより不規則な凹凸が設けられている。このような不規則な凹凸の中には、第１端面３１に対して傾斜する傾斜面が含まれている。このように不規則な凹凸を含む第２端面３２ｄによれば、第２端面３２ｄにおける光の全反射の影響をさらに抑制することができる。
【００３４】
［光吸収材の配置の変形例］
以下、光吸収材４０の配置の変形例について説明する。図５Ａ及び図５Ｂは、光吸収材４０の配置の変形例を示す図である。
【００３５】
図５Ａに示されるように、光吸収材４０ａは、第２端面３２の全部を覆いつつ、第１主面３３または第２主面３４に達していてもよい。つまり、光吸収材４０ａは、第２端面３２の全部、及び、第１主面３３または第２主面３４の第２端面３２側の端部を覆っていてもよい。これにより、第２端面３２を確実に光吸収材４０ａで覆うことができるため、第２端面３２における光の全反射をさらに抑制することができる。
【００３６】
また、図５Ｂに示されるように、光吸収材４０ｂは、第２端面３２の全部を覆いつつ、第１主面３３及び第２主面３４に達していてもよい。つまり、光吸収材４０ａは、第２端面３２の全部、第１主面３３の第２端面３２側の端部、第２主面３４の第２端面３２側の端部を覆っていてもよい。これにより、第２端面３２を確実に光吸収材４０ｂで覆うことができるため、第２端面３２における光の全反射をさらに抑制することができる。
【００３７】
なお、このような光吸収材４０の配置は、第２端面３２ａ、第２端面３２ｂ、第２端面３２ｃ、及び、第２端面３２ｄと組み合わされてもよい。
【００３８】
［第１端面の形状の変形例］
以下、第１端面３１の形状の変形例について説明する。図６は、第１端面３１の形状の変形例を示す図である。図６の（ａ）は、導光体３０ａをＸ軸方向から見た図であり、図６の（ｂ）は、導光体３０ａをＹ軸方向から見た図である。
【００３９】
図６に示される導光体３０ａの第１端面３１ａには、Ｙ軸方向（言い換えれば、第１主面３３に垂直に交差する方向）に沿う断面Ｖ字状の溝が、Ｘ軸方向に複数並んで設けられる。このような第１端面３１ａの形状によれば、導光体３０ａから広い範囲に光を出射できる。つまり、導光体３０ａは、広角配光を有する照明装置１０を実現できる。
【００４０】
このような第１端面３１ａの形状によれば、第２端面３２に到達して反射する光も広がるため、グレアが大きくなる場合がある。しかしながら、光吸収材４０によって第２端面３２における反射光が低減されれば、広角配光とグレアの低減とを両立した照明装置１０が実現される。
【００４１】
なお、このように第１端面３１ａが平面でない場合、第２端面３２に含まれる傾斜面は、第１端面３１ａの頂部を通る平面（図６のＣ−Ｃ線を通る平面）に対して傾斜していればよい。
【００４２】
［凹部の密度１］
複数の凹部３５の密度は、例えば、均一であるが、不均一であってもよい。図７は、複数の凹部３５が不均一な密度で配置された導光体の一例を示す図である。
【００４３】
図７に示される導光体３０ｂの第１主面３３における複数の凹部３５の（単位面積あたりの）密度は、Ｚ軸方向において光源２０から遠い領域ほど大きい。言い換えれば、複数の凹部３５の密度は、光源２０に近い領域で最も小さく、光源２０から離れるほど大きくなる。複数の凹部３５の密度は、線形に増加してもよいし、非線形に増加してもよい。
【００４４】
このような導光体３０ｂは、正面（つまり、Ｙ軸方向）から見た導光体３０ｂの発光面輝度を均一に近づけることができる。
【００４５】
導光体３０ｂにおいては、第２端面３２の周辺の複数の凹部３５の密度が高いため、第２端面３２において反射する光に起因するグレアが大きくなる場合がある。しかしながら、光吸収材４０によって第２端面３２における反射光が低減されれば、正面から見た発光面輝度の均一化とグレアの低減とを両立した照明装置１０が実現される。
【００４６】
［凹部の密度２］
また、図８は、複数の凹部３５が不均一な密度で配置された導光体の別の一例を示す図である。
【００４７】
図８に示される導光体３０ｃの第１主面３３における複数の凹部３５の（単位面積あたりの）密度は、Ｚ軸方向（第１端面３１及び第２端面３２が並ぶ方向）における中央部において最も小さく、Ｚ軸方向において中央部から離れるほど大きい。第１主面３３のＺ軸方向における複数の凹部３５の密度は、線形に変化してもよいし、非線形に変化してもよい。
【００４８】
このような導光体３０ｃは、側方（つまり、Ｘ軸方向）から見た導光体３０ｂの発光面輝度を均一に近づけることができる。
【００４９】
導光体３０ｃにおいては、第２端面３２の周辺の複数の凹部３５の密度が高いため、第２端面３２において反射する光に起因するグレアが大きくなる場合がある。しかしながら、光吸収材４０によって第２端面３２における反射光が低減されれば、側方から見た発光面輝度の均一化とグレアの低減とを両立した照明装置１０が実現される。
【００５０】
［凹部の形状１］
複数の凹部３５の形状は、例えば、全て同一であるが、全て同一でなくてもよい。図９は、複数の凹部３５の形状が当該凹部３５の位置に応じて異なる導光体の一例を示す図である。図９の（ａ）は、導光体３０ｄをＸ軸方向から見た図であり、図９の（ｂ）は、導光体３０ｄをＹ軸方向から見た図である。
【００５１】
図９に示される導光体３０ｄの第１主面３３に設けられた複数の凹部３５のそれぞれは、円錐形状であるが、第１主面３３に対する凹部３５の側面３６の角度θが、凹部３５の位置に応じて異なる。具体的には、複数の凹部３５の側面３６の傾斜角θは、Ｚ軸方向において第１主面３３の光源２０から遠い場所に位置する凹部３５の側面３６ほど大きい。
【００５２】
このような導光体３０ｄは、正面（つまり、Ｙ軸方向）から見た導光体３０ｄの発光面輝度を均一に近づけることができる。
【００５３】
導光体３０ｄにおいては、第２端面３２の周辺の複数の凹部３５の側面３６の傾斜角θが大きいため、第２端面３２において反射する光に起因するグレアが大きくなる場合がある。しかしながら、光吸収材４０によって第２端面３２における反射光が低減されれば、正面から見た発光面輝度の均一化とグレアの低減とを両立した照明装置１０が実現される。
【００５４】
［凹部の形状２］
また、図１０は、複数の凹部３５の形状が当該凹部３５の位置に応じて異なる導光体の別の一例を示す図である。図１０の（ａ）は、導光体３０ｅをＸ軸方向から見た図であり、図１０の（ｂ）は、導光体３０ｅをＹ軸方向から見た図である。
【００５５】
図１０に示される導光体３０ｅの第１主面３３に設けられた複数の凹部３５のそれぞれは、円錐形状であるが、第１主面３３に対する凹部３５の側面３６の角度θが、凹部３５の位置に応じて異なる。具体的には、複数の凹部３５の側面３６の傾斜角θは、第１主面３３のうちＺ軸方向（第１端面３１及び第２端面３２が並ぶ方向）における中央部において最も小さく、第１主面３３のうちＺ軸方向において中央部から離れるほど大きい。
【００５６】
このような導光体３０ｅは、側方（つまり、Ｘ軸方向）から見た導光体３０ｅの発光面輝度を均一に近づけることができる。
【００５７】
導光体３０ｅにおいては、第２端面３２の周辺の複数の凹部３５の側面３６の傾斜角θが大きいため、第２端面３２において反射する光に起因するグレアが大きくなる場合がある。しかしながら、光吸収材４０によって第２端面３２における反射光が低減されれば、側方から見た発光面輝度の均一化とグレアの低減とを両立した照明装置１０が実現される。
【００５８】
［凹部の形状３］
また、複数の凹部３５の形状は、円錐形状または円錐台形状に限定されない。図１１は、長溝状の複数の凹部を有する導光体の一例を示す図である。図１１の（ａ）は、導光体３０ｆをＸ軸方向から見た図であり、図１１の（ｂ）は、導光体３０ｆをＹ軸方向から見た図である。
【００５９】
図１１に示される導光体３０ｆの第１主面３３には、長溝状の複数の凹部３７が設けられる。長溝状の凹部３７の長手方向は、Ｘ軸方向に沿う。Ｘ軸方向は、言い換えれば、第１主面３３に沿う第１方向であって第１端面３１及び第２端面３２が並ぶ第２方向（Ｙ軸方向）に垂直な第１方向である。長溝状の凹部３７の断面形状は、Ｖ字状である。
【００６０】
このような長溝状の凹部３７（プリズム）は、光源２０側（第１端面３１側）を向く側面３８（言い換えれば、制御面）の面積が大きいため、光制御効率が高く、配光制御性に優れている。一方で、第２端面３２側を向く側面３８の面積も大きいため、第２端面３２において反射する光に起因するグレアが大きくなる場合がある。しかしながら、光吸収材４０によって第２端面３２における反射光が低減されれば、配光制御性の向上とグレアの低減とを両立した照明装置１０が実現される。
【００６１】
［凹部の形状４］
また、導光体３０の第１主面３３に設けられる複数の凹部には、凹部３５及び凹部３７の両方が含まれてもよい。図１２は、円錐形状の凹部３５、及び、長溝状の凹部３７の両方を有する導光体の一例を示す図である。図１２の（ａ）は、導光体３０ｇをＸ軸方向から見た図であり、図１２の（ｂ）は、導光体３０ｇをＹ軸方向から見た図である。
【００６２】
図１２に示される導光体３０ｇでは、第１主面３３のうち第１端面３１寄りの領域には凹部３５が設けられ、第１主面３３のうち第２端面３２寄りの領域には、凹部３７が設けられる。このような導光体３０ｇによれば、図１３に示されるようにＸ軸方向に広く、かつ、Ｙ軸−側に強い配光特性を実現することができる。図１３は、導光体３０ｇの配光特性を模式的に示す図である。図１３の（ａ）は、導光体３０ｇをＸ軸方向から見た図であり、図１３の（ｂ）は、導光体３０ｇをＹ軸方向から見た図である。なお、また、第１主面３３に対する凹部３５の側面３６の角度θと、第１主面３３に対する凹部３７の側面３８の角度ηとの関係は、例えば、θ＞ηである。なお、第１主面３３に対する凹部３７の側面３８の角度ηは、θ＞ηを満たす範囲で、Ｚ軸方向において第１主面３３の光源２０から遠い場所に位置する凹部３７の側面３８ほど大きい。
【００６３】
［側端面の形状］
ところで、導光体３０の側端面（Ｙ軸方向において並ぶ２つの端面）は、例えば、第１主面３３（または第２主面）に対して９０°の角度をなす平面である。しかしながら、側端面は、第１主面３３に対して傾斜していてもよい。図１４は、このような側端面が傾斜面である導光体の一例を示す図である。図１４の（ａ）は、導光体３０ｈをＸ軸方向から見た図であり、図１４の（ｂ）は、導光体３０ｈをＹ軸方向から見た図であり、図１４の（ｃ）は、導光体３０ｈをＺ軸方向から見た図である。
【００６４】
図１４に示されるように、導光体３０ｈの側端面３９Ｌ及び側端面３９Ｒのそれぞれは、第１主面３３（または第２主面３４）に対して９０°−φ（φ＞０）の角度で傾斜している。ここで、φは、例えば、１°＜φ＜１０°である。このような導光体３０ｈは、導光版３０よりもＸ軸方向に広い配光特性を実現することができる。
【００６５】
［反射板］
照明装置１０は、さらに、第１主面３３に対向する反射板を備えてもよい。図１５は、このような反射板を備える照明装置の内部構造を示す図である。図１５の（ａ）は、照明装置１０ａをＸ軸方向から見た図であり、図１５の（ｂ）は、照明装置１０ａをＹ軸方向から見た図である。
【００６６】
図１５に示される照明装置１０ａは、第１主面３３に対向する反射板５０を備える。反射板５０は、例えば、アルミニウム等の金属材料によって形成され、第１主面３３に対向する面が鏡面である。なお、反射板５０は、金属膜を付加した樹脂材料でもよく、また白色樹脂材料、または、白色塗装した金属材料によって形成されてもよい。
【００６７】
このように反射板５０を備える照明装置１０ａは、片側（図１５の例ではＹ軸−側）にのみ効率的に光を反射することができる。なお、反射板５０は、第２端面３２において反射して導光体３０内に戻ってくる光も反射してしまうため、第２端面３２における光の反射に起因するグレアが大きくなる場合がある。しかしながら、光吸収材４０によって第２端面３２における反射光が低減されれば、グレアを低減することができる。なお、反射板５０は、第２主面３４に対向するように配置されてもよい。
【００６８】
［効果等］
以上説明したように、照明装置１０は、光源２０と、光源２０が発する光が入射する第１端面３１、第１端面３１の反対側に位置する第２端面３２であって第１端面３１に対して傾斜した傾斜面を含む第２端面３２、及び、第１端面３１に入射した光を反射する反射構造が設けられた第１主面３３を有する導光体３０と、第２端面３２に光学的に密着する光吸収材４０とを備える。
【００６９】
このような照明装置１０は、光吸収材４０によって第２端面３２における光の全反射が抑制されるため、配光の乱れを抑制することができる。
【００７０】
また、例えば、光吸収材４０は、第２端面３２の全部、及び、第１主面３３の第２端面３２側の端部を覆う。
【００７１】
このような照明装置１０は、第２端面３２を確実に光吸収材４０ａで覆うことができるため、第２端面３２における光の全反射をさらに抑制することができる。
【００７２】
また、例えば、第２端面３２ｂなどは、複数の傾斜面を含む。
【００７３】
このような第２端面３２ｂが適用された照明装置１０は、複数の傾斜面を含む第２端面３２ｂにより、第２端面３２ｂにおける光の全反射をさらに抑制することができる。
【００７４】
また、例えば、第２端面３２ｄには、不規則な凹凸が形成される。
【００７５】
このような第２端面３２ｄが適用された照明装置１０は、不規則な凹凸が形成された第２端面３２ｄにより、第２端面３２ｂにおける光の全反射をさらに抑制することができる。
【００７６】
また、例えば、光吸収材４０の屈折率と導光体３０の屈折率との比は、０．９以上１．１以下である。
【００７７】
このような照明装置１０は、第２端面３２と光吸収材４０との屈折率差を小さくすることで、第２端面３２ｂにおける光の全反射をさらに抑制することができる。
【００７８】
また、例えば、導光体３０は、アクリル樹脂によって形成され、光吸収材４０の屈折率は、１．４以上１．６以下である。
【００７９】
このような照明装置１０は、第２端面３２と光吸収材４０との屈折率差を小さくすることで、第２端面３２ｂにおける光の全反射をさらに抑制することができる。
【００８０】
また、例えば、導光体３０ａにおいては、第１端面３１ａには、第１主面３３と交差する方向に沿う断面Ｖ字状の溝が複数並んで設けられる。
【００８１】
このような導光体３０ａによれば、広角配光とグレアの低減とを両立した照明装置１０が実現される。
【００８２】
また、例えば、照明装置１０ａは、さらに、第１主面３３に対向する反射板５０を備える。
【００８３】
このような照明装置１０ａは、片側にのみ効率的に光を反射しつつ、グレアを低減することができる。
【００８４】
また、例えば、導光体３０ｂにおいては、反射構造は、複数の凹部３５を含み、第１主面３３における複数の凹部３５の密度は、光源２０から遠い領域ほど大きい。
【００８５】
このような導光体３０ｂによれば、正面から見た発光面輝度の均一化とグレアの低減とを両立した照明装置１０が実現される。
【００８６】
また、例えば、導光体３０ｃにおいては、反射構造は、複数の凹部３５を含み、第１主面３３における複数の凹部３５の密度は、第１端面３１及び第２端面３２が並ぶ方向における中央部において最も小さく、当該方向において中央部から離れるほど大きい。
【００８７】
このような導光体３０ｃによれば、側方から見た発光面輝度の均一化とグレアの低減とを両立した照明装置１０が実現される。
【００８８】
また、例えば、導光体３０ｄにおいては、反射構造は、複数の凹部３５を含み、複数の凹部３５のそれぞれは、第１主面３３に対して傾斜した側面３６を含む。複数の凹部３５の側面３６の傾斜角θは、第１主面３３の光源２０から遠い場所に位置する凹部３５の側面３６ほど大きい。
【００８９】
このような導光体３０ｄによれば、正面から見た発光面輝度の均一化とグレアの低減とを両立した照明装置１０が実現される。
【００９０】
また、例えば、導光体３０ｅにおいては、反射構造は、複数の凹部３５を含み、複数の凹部３５のそれぞれは、第１主面３３に対して傾斜した側面３６を含む。複数の凹部３５の側面３６の傾斜角θは、第１主面３３のうち第１端面３１及び第２端面３２が並ぶ方向における中央部において最も小さく、第１主面３３のうち当該方向において中央部から離れるほど大きい。上記実施の形態では、第１端面３１及び第２端面３２が並ぶ方向は、Ｚ軸方向である。
【００９１】
このような導光体３０ｅによれば、側方から見た発光面輝度の均一化とグレアの低減とを両立した照明装置１０が実現される。
【００９２】
また、例えば、導光体３０ｆにおいては、反射構造は、長溝状の凹部３７を複数含み、長溝状の凹部３７の長手方向は、第１主面３３に沿う第１方向であって第１端面３１及び第２端面３２が並ぶ第２方向に垂直な第１方向に沿う。第１方向は、上記実施の形態ではＸ軸方向であり、第２方向は、上記実施の形態ではＺ軸方向である。
【００９３】
このような導光体３０ｆによれば、配光制御性の向上とグレアの低減とを両立した照明装置１０が実現される。
【００９４】
（その他の実施の形態）
以上、実施の形態について説明したが、本発明は、上記実施の形態に限定されるものではない。
【００９５】
上記実施の形態では、照明装置としてポールライトが例示されたが、本発明は、その他の照明装置として実現されてもよい。例えば、本発明は、住宅などの壁の下方に設置され、ユーザの足元を照らすフットライトとして実現されてもよいし、導光体を用いたその他の照明装置として実現されてもよい。
【００９６】
また、上記実施の形態では、光源として、いわゆるＳＭＤ型の発光モジュールが用いられたが、光源の具体的態様は特に限定されるものではない。例えば、光源として、ＣＯＢ（Ｃｈｉｐ  Ｏｎ  Ｂｏａｒｄ）型の発光モジュールが用いられてもよい。また、光源として、有機ＥＬ素子（ＯＬＥＤ）または無機ＥＬ素子等のＬＥＤ以外の固体発光素子を含む発光モジュールが用いられてもよい。
【００９７】
また、上記実施の形態では、導光体として平面視形状が矩形の導光板が例示されたが、照明装置にはその他の形状の導光板が用いられてもよいし、棒状の導光体などが用いられてもよい。
【００９８】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【００９９】
１０、１０ａ  照明装置
２０  光源
３０、３０ａ〜３０ｈ  導光体
３１、３１ａ  第１端面
３２、３２ａ〜３２ｄ  第２端面
３３  第１主面
３５、３７  凹部
３６、３８  側面
４０、４０ａ、４０ｂ  光吸収材
５０  反射板
θ  傾斜角
【図１】
2020161405.tif 000003
【図２】
2020161405.tif 000004
【図３】
2020161405.tif 000005
【図４Ａ】
2020161405.tif 000006
【図４Ｂ】
2020161405.tif 000007
【図４Ｃ】
2020161405.tif 000008
【図４Ｄ】
2020161405.tif 000009
【図５Ａ】
2020161405.tif 000010
【図５Ｂ】
2020161405.tif 000011
【図６】
2020161405.tif 000012
【図７】
2020161405.tif 000013
【図８】
2020161405.tif 000014
【図９】
2020161405.tif 000015
【図１０】
2020161405.tif 000016
【図１１】
2020161405.tif 000017
【図１２】
2020161405.tif 000018
【図１３】
2020161405.tif 000019
【図１４】
2020161405.tif 000020
【図１５】
2020161405.tif 000021